(57)【要約】      （修正有）【課題】多孔質コンクリートの表面にスジツボ、イガイやカキ殻などが付着し、閉塞しても、半永久的に魚の蝟集効果を維持できる湾岸域で使用可能な魚礁を提供する。【解決手段】魚介類が通過する複数の開口部が形成された枠板を有する籠に内包材３が収納可能な湾岸漁礁において、前記内包材３が大きさの異なる複数の貫通孔を有し、かつ、着脱自在に固定されている湾岸魚礁。内包材３が大きさの異なる３種類の貫通孔を有することが好ましい。【選択図】図２
2013141444.tif 000002
【特許請求の範囲】
【請求項１】
魚介類が通過する複数の開口部が形成された枠板を有する籠に内包材が収納可能な湾    岸漁礁において、前記内包材が大きさの異なる複数の貫通孔を有し、かつ、着脱自在に固定されていることを特徴とする湾岸魚礁。
【請求項２】
前記内包材が大きさの異なる３種類の貫通孔を有するコンクリート固化体であることを特徴とする請求項１に記載の湾岸漁礁。
【請求項３】
前記内包材が、１ブロック重量８〜１５ｋｇのコンクリート固化体で、貫通孔の大きさは小孔径が３〜５ｍｍを多数配置したブロックＡ、中孔径が５〜１５ｍｍを多数配置したブロックＢ，大孔径が１５〜２５ｍｍを多数配置したブロックＣと、固定金具用通し穴を2箇所有するコンクリート固化体であることを特徴とする請求項1又は請求項２に記載の湾岸魚礁。
【請求項４】
前記内包材は、海流や水流方向に貫通孔を並行させて、各ブロック間隔を１０〜２５ｃｍに配列し、前記籠の側面パネル間に横架した前記固定金具で前記内包材の一部の端部を吊る方式と、固定金具を棚にした棚方式が可能な請求項１〜請求項３のうち、何れか１項に記載の湾岸魚礁。
【発明の詳細な説明】
【技術分野】
【０００１】
本発明は、現場施工が可能で、半永久に機能する鋳鉄パネル枠材を外枠とし、内包材に3種類の貫通孔のブロックコンクリートを用いることで、魚礁機能を継続できる湾岸魚礁に関するものである。
詳しくは、特に沿岸、港湾の海底や、河川の川底に設置して使用され、魚介類の生息場所、餌場、産卵場の3つ効果を与える魚礁に関するものである。
【背景技術】
【０００２】
従来の魚礁は、船舶の安全上から水深の深い場所に設置し、構成材料として鉄製、コンクリート製、木製、タイヤやスクラップなどを沈設して魚の蝟集を行っていた。
しかし、大水深のため補充や補修が行われることがなかった。そのため、魚礁の蝟集効果が短く、費用対効果が小さく採算が合わない場合が多かった。
【先行技術文献】
【特許文献】
【０００３】
【特許文献１】実用新案登録第３１４４４９４号公報
【特許文献２】特開２００５−３６５６８号公報
【特許文献３】特開２００３-２２７１１９号公報
【特許文献４】特開２００４−３４４０２１号公報
【特許文献５】特開２００４−９７００４号公報
【特許文献６】実用新案登録第３０６１９９０号公報
【特許文献７】特開２００７−１２９９１７号公報
【０００４】
特許文献１には、本願特許者らによって特許されたものであり、魚介類が通過する複数の開口部が形成された蓋と、該蓋を籠の出入口に着脱自在に固定する連結具を備え、内包材として間伐材、竹材、石材などを用いることを特徴している。
【０００５】
特許文献２には、鋳鉄製カゴ枠材の陶磁器廃材を再利用した多孔質コンクリートを円柱状、円筒状、ボール状の多孔の平均細孔直径が0.2566μｍで、あまりにも微孔であるため、実施例からして河川の水質浄化に寄与しているとの報告がされている。しかし、海底のヘドロやフジツボやイガイの付着で細孔が閉塞し機能しなくなる。よって、動植物性プランクトンが生成し、魚の育成効果があるとしているが  機能は継続しない。 
【０００６】
特許文献３には、従来の木工沈床の基礎に鋳鉄カゴ枠体を用い、内包材として石材を充填した複合沈床/擁壁構造で木工沈床を四隅をタイロッドで串刺した木材を使用している。木材は腐食が約1.5年で始まり、木材がタイロッドから抜け出し流木の危険がある。
【０００７】
特許文献４、特許文献５には、鋼材枠体に間伐材を固定し、コンクリートで基礎床とした構造体としている。 
しかし、間伐材の腐食による流出で、船舶への危険性がある。 
【０００８】
特許文献６には、コンクリート箱枠体内にカキ殻を入れた筒状樹脂製ネットを沈設することで護岸工の機能と貝殻による微生物の繁殖を促進させるとしている。
しかし、樹脂製ネットは流木等での破損や経年劣化した場合には漁船のスクリューの破損などがあり危険性がある。
【０００９】
特許文献７には、正方形立方体コンクリートに直径φ100ｍｍの川魚の隠れ穴と、流水穴の川魚の保護する魚巣ブロックである。しかし、河積阻害物形状で周辺洗掘の恐れがあり、φ100ｍｍでは魚の餌となる小生物の生息場としては大き過ぎる。
【発明の概要】
【発明が解決しようとする課題】
【００１０】
従来の魚礁の課題は、初期の蝟集効果が高くても補充等をしないと機能が激減するものや、耐用年数を考慮しない高額な魚礁を沈設しているケースが多いことである。以下、事前の実証試験において追跡調査をした結果、3つ課題あることが分かった。 
（1）鉄製の魚礁はさびによる腐食が激しく長期の機能維持は難しく補修も深海でできない短所を持っている。また、内包材に間伐材や、竹材を使用した構造体では、沈設後2〜3年で腐食し消滅するため、内包材を数年ごとに補充する必要があった。 
（2）細孔径の大きいポーラスコンクリートでは、沈設後約1年後から急に細孔内の軟体類などが増加し、約3年後をピークに生物量が増加するすぐれた特徴を有する。しかし、ポーラスコンクリートは、約4〜5年後から表面にカキ殻やイガイ、フジツボが付着しポーラスコンクリートの細孔を閉塞し、生物量が激減する短所と、コンクリート強度が経年変化で低下し、波浪に弱く半永久的な構造体ではないことが分かった。
（3）河川や浅海域での魚礁は、内包材を海底近くで固定した構造にするとヘドロで閉塞するため、波浪などで自然洗浄できる程度の内包材間のすきまや、細孔を貫通孔にする必要があった。
【課題を解決するための手段】
【００１１】
課題（1）に対しては、鋳鉄製パネル枠体の耐用年数約100年以上、内包材コンクリートブロックの耐用年数50年以上の半永久的材料を使用することで課題を解決した。
また、内包材が間伐材や竹材使用では、フナクイムシやキクイムシにより沈設後約1.5〜2年後に約1/3の表面側が食害され、約5年で無くなることが分かった。そこで内包材を食害や腐食がないコンクリートとし、かつ生物の生息場を確保するために、工場で穴あきした製品の形状にすることで課題を解決した。
【００１２】
課題（2）に対しては、半永久的な魚の餌場機能とするためにコンクリート強度σck=18N/mm2以上のコンクリートを使用し、魚の餌の体形に合わせた多孔質コンクリートブロックＡ，Ｂ，Ｃを発案した。
多毛綱ゴカイ類の体径φ約3ｍｍが好んで生息場とするブロッックＡを発案し、また、ナクイムシの削孔径約φ6〜7ｍｍと同様の径を好んで生息する稚エビ、稚ガニ、稚貝用としてブロックＢを発案し、さらに、フジツボの高さ約15ｍｍを上回る貫通孔φ20ｍｍのブロックＣを発案し作成した。
３タイプの孔径を有するコンクリートを内包材とすることで、ポーラスコンクリートでは不可能であった細孔の永続性を、貫通孔の違う3つブロックＡ，Ｂ，Ｃを組み合わせることで可能にした。
【００１３】
ブロックＡ5は、貫通孔径φ3〜5ｍｍ9、または□3〜5ｍｍの形状を有しているが、カキ殻やイガイ、フジツボが付着し閉塞する約3〜5年後に生物数は激減する。その後は表面の付着物の凹凸部に生物が生息しており継続して使用している。
ブロックＢ6は、稚エビ、稚貝や稚ガニが好んで生息する開口径6〜7ｍｍをできるだけ維持できるようにした貫通孔径φ5〜15ｍｍ10、または□5〜15ｍｍで、カキ殻やイガイ、フジツボなどが付着しても貫通孔の断面閉塞を遅らせる効果がある。その後は表面の付着物の凹凸部に生物が生息しており継続して使用している。
ブロックＣ7は、貫通孔径φ15〜25ｍｍ11,または□15〜25ｍｍで、カキ殻やイガイ、フジツボが付着しても貫通孔が閉塞するまで長年維持できている。
ブロックＡ5の孔径3〜5ｍｍ9を提供することでゴカイや幼生生物の生息場を提供し、カキ殻やイガイ、フジツボで閉塞しても付着生物の凹凸を生息場に代替えできている。ブロックＢ6の孔径5〜15ｍｍ10は、魚が最も好む稚エビ、稚貝や、稚カニの生息場を提供した。ブロックＣ7の孔径15〜25ｍｍ11は、フジツボ平均高さ15ｍｍの付着確認から孔径決定した。
【００１４】
3つの異なる孔径のブロックＡ，Ｂ，Ｃの組み合わせの発案のヒントは、フナクイムシの削孔した間伐材の穴に多くの生物が生息していたことを事前の実験の観察から得た。間伐材は木であり直接魚の餌にはならないし、間伐材を食害するフナクイムシも好んで餌としていないことを魚の胃の内容物検査で確認している。蝟集効果のある間伐材の機能は長くても5年であり、半永久的な構造にできないかと考えた結果、コンクリート造によりフナクイムシの削孔を復元することにした。しかし、新たな問題として、フジツボ等による閉塞の問題を解決する必要が出てきた。そこで生息場の機能と閉塞の2つの問題を解決するためには、3つの異なる孔径のブロックＡ，Ｂ，Ｃの組み合わせが問題解決に有効であるとした。
【００１５】
以上より、３種類の内包材の最適な形状は、下表であった。
【表１】
2013141444.tif 000003
【００１６】
課題（3）については、内包材3を海底や川底に設置するとヘドロ等で貫通孔が閉塞してしまう。その対策として、鋳鉄製パネル枠体2の側面パネル8と対面のパネル8を内包材固定金具4φ19ｍｍで2本横断させ、コンクリートの2穴φ25ｍｍの中に通して洗濯物のように吊るす吊り方式にすることで、貫通孔の閉塞が低減でき、ヘドロによる籠内の堆積を低減できた。
また、２段に内包材を入れる場合には、吊る内包材の底面を支持できるように内包材固定金具を下に２本設置し、その上に上記と同じように吊り式で固定した。
海流や水流方向と内包材の貫通孔は、並行であるのが良い。ただし、魚礁の安定対策として台風時の波浪の方向に対しては、魚礁全体および内包材3が波浪に対する断面積が最小にして抵抗を少なくする。
【００１７】
1ユニットをブロックＡ5，ブロックＢ6，ブロックＣ7として、1列に配列させる例としてＡＢＣＡＢＣのようにするほうが、ＡＡＡＢＢＢＣＣＣに比べて内包材内の生物量の偏りが少ない。
【発明の効果】
【００１８】
鋳鉄製パネル枠材2と3タイプの貫通孔のある内包材3の組み合わせにより相乗効果が継続した蝟集効果のある魚礁にできたことを特徴とする。
一般にコンクリートだけを沈設しても蝟集効果は、初期だけで後はほとんどない。そこで早期に海藻が付着させるために錆びとして鉄分を流出させるために鋳鉄製パネル枠体2を使用し、鉄分で増殖した海藻が枠材やコンクリート表面に付着でき、その海藻を餌や隠れがとするプランクトンやベントスなどの幼生生物が早期に生息する。さらにブロックＡ5の貫通孔径3〜5ｍｍ9に多くの幼生生物が生息することで急激に魚の蝟集効果がある。その後、3〜5年経過するとイガイ、フジツボやカキ殻で貫通孔径3〜5ｍｍ9の表面は閉塞し始める。しかし、ブロックＢ6の貫通孔径5〜15ｍｍ10にゴカイや稚エビ、稚貝、稚ガニが多く生息することで魚の蝟集効果が継続される。さらにブロックＣ7貫通孔径15〜25ｍｍ11では閉塞するまで長期間かかり、半永久的に貫通孔を維持しながら、蝟集効果も継続できる。つまり、3タイプの内包材の機能で、籠内の魚の餌となる生物量を継続させる効果がある。
【００１９】
魚礁を設置する環境は厳しく、洪水による立木の衝突や土砂流入、台風による波浪などにも強度的に安全で機能満足できるものにしている。今回さらにさまざまな小さな工夫をおこなった。内包材3を籠の底面に並べるのではなく吊り方式や棚方式にした。河口域や湾岸域では海底はヘドロが堆積しており、実証試験場所の中央粒径は10μｍと細かく潮汐で巻き上げられて、魚礁底部の内包材3がヘドロに埋没する危険がある。その対策として鋳鉄製外枠体2の側面パネル8と対面のパネル8を鋳鉄製棒φ19ｍｍを2本横断させ、内包材3の2穴φ25ｍｍに通して洗濯物のように吊るす内包材固定金具4を用いた。そうすることで潮汐によるヘドロの巻上げでも閉塞せず、さらに魚礁内部や外部周辺もヘドロの堆砂は発生しなかった。  
【図面の簡単な説明】
【００２０】
【図１】本発明の実施形態例の斜視図である。
【図２】本発明の鋳鉄製パネル枠体の斜視図である。
【図３】本発明の内包材の実施形態例の吊り方式の斜視図である。
【図４】本発明の内包材固定金具の斜視図である。
【図５】本発明のブロックＡの内包材の斜視図である。
【図６】本発明のブロックＢの内包材の斜視図である。
【図７】本発明のブロックＣの内包材の斜視図である。
【図８】本発明の内包材の実施形態例の棚方式の斜視図である。
【発明を実施するための形態】
【００２１】
発明を実施するための形態として、河口域や湾岸に魚礁としての施設として適用できる。また、河川施設や海洋施設の環境保全や環境再生の一部としても適用できる。
【実施例】
【００２２】
現在、図1のような潮汐で淡水と海水が混じる河口域で実証試験を行っている。
最初に陸上で鋳鉄製パネル（1枚1.0ｍ×0.5ｍ）で枠体の底面と側面を組立て、浮き体を付けてクレーンで吊り降ろして、設置場所まで人力で曳航し、干潮時に下ろす。内包材を干潮時に人力で設置し、最後に上面パネルを開閉できるようにステンレスボルトナットで蓋をする。
最良な形態は、鋳鉄製パネル枠体（Ｂ2.0m×Ｌ2.0m×Ｈ1.0m）に、３種類の貫通孔のある内包材を図２のように、１列にブロックＡ３個、ブロックＢ３個、ブロックＣ３個をＡＢＣ順に組み合わせで２列を内包するのが良い。水流方向にブロックの貫通孔を向けて水流が通るようにしている。
沈設後の1年目に鋳鉄製パネル枠体に海草が付着し、少し遅れて内包材にも海草が付着し、ブロックＡにゴカイの生息が多く、ブロックＢに稚エビ、稚カニ、稚貝の生息が特に多くなる。ブロックＣは、３年目以降に生物の生息数が増す。
【産業上の利用可能性】
【００２３】
河口域や湾岸に本発明の湾岸魚礁を設置し、魚の棲みか、餌場、産卵場を半永久的に機能させることができれば、遠洋の魚場に燃料を使って漁船でわざわざ行かなくても、漁港近くで漁獲ができ、安く魚が食べられる。  
【符号の説明】
【００２４】
１    湾岸魚礁
２    鋳鉄製パネル枠体
３    内包材
４    内包材固定金具
５    ブロックＡ
６    ブロックＢ
７    ブロックＣ
８    側面パネル
９    貫通孔径3〜5ｍｍ
１０    貫通孔径5〜15ｍｍ
１１    貫通孔径15〜25ｍｍ
１２    内包材固定金具用通し穴
１３    ステンレル製Ｕボルトナット
【図１】
2013141444.tif 000004
【図２】
2013141444.tif 000005
【図３】
2013141444.tif 000006
【図４】
2013141444.tif 000007
【図５】
2013141444.tif 000008
【図６】
2013141444.tif 000009
【図７】
2013141444.tif 000010
【図８】
2013141444.tif 000011